(57)【要約】【課題】切削対象物に固定可能なボール盤を提供する。【解決手段】厚さ調節板１７を把持面に備え、把持面を対向させ、互いの間隔を変化させることができるように、モータ昇降部１２、又はモータ昇降部１２を固定するベース部１３に取り付けられた、一対の可動把持部１５と、を備える。切削するときは、切削対象物を一対の可動把持部１５のパキング１７の間に挟み、締め付け機構１４により一対の可動把持部１５の間隔を狭めて締め付けることにより、ボール盤１０を切削対象物に固定する。厚さ調節板１７はネジ１６などにより、可動把持部１５に着脱可能に取り付けられる。【選択図】図１
0003140247.tif 000002
【実用新案登録請求の範囲】
【請求項１】
ドリルを回転させるモータと、
前記モータを昇降させるモータ昇降部と、
厚さ調節板を把持面に備え、前記把持面を対向させ、互いの間隔を変化させることができるように、前記モータ昇降部に取り付けられた、一対の可動把持部と、
を備えることを特徴とするボール盤。
【請求項２】
ドリルを回転させるモータと、
前記モータを昇降させるモータ昇降部と、
厚さ調節板を把持面に備え、前記把持面を対向させ、互いの間隔を変化させることができるように、前記モータ昇降部を固定するベース部に取り付けられた、一対の可動把持部と、
を備えることを特徴とするボール盤。
【請求項３】
前記厚さ調節板が、着脱可能に可動把持部に取り付けられていることを特徴とするボール盤。
【請求項４】
前記厚さ調節板が、弾性体を含むことを特徴とする請求項１乃至請求項３のいずれか１項に記載のボール盤。
【請求項５】
前記厚さ調節板が、９ｍｍ以上１００ｍｍ以下の厚さを有することを特徴とする請求項１乃至請求項４のいずれか１項に記載のボール盤。
【請求項６】
厚さ調節板を装着せずに可動把持部を最も狭めた時の一対の可動把持部の把持面の間隔がＷであり、切削対象物の幅がＺである時、厚さ調節板１７の厚さがそれぞれ（Ｗ−Ｚ）／２であることを特徴とする請求項１乃至請求項４のいずれか１項に記載のボール盤。
【考案の詳細な説明】
【技術分野】
【０００１】
本考案は、切削する部材に固定することが可能なボール盤に関する。
【背景技術】
【０００２】
従来のボール盤は、例えば地面に固定されたフェンスのパイプのように、すでに施工されて他の部材と一体となった切削対象物を切削する場合、切削対象物を取り外してボール盤の切削対象物の固定手段に取り付けることは困難であるという問題点があった。
【０００３】
この点に関し特許文献１には、ボール盤の下部に磁石を取り付け、この磁石によってボール盤自体を切削対象物に取り付けて切削する可搬式ボール盤が提案されている。
【０００４】
しかし、このボール盤によっては切削対象物が磁性体でない場合にはボール盤を切削対象物に取り付けることができず、切削加工を行うことができないという問題点があった。
【０００５】
さらに、切削対象物を把持するボール盤が市販されているが、把持できる切削対象物の厚さの範囲は限られたものである。例えば、通常建築物のボルト穴を切削するためのボール盤は５０ｍｍ程度までしか把持できない。このため、例えば直径が３２ｍｍのパイプに穴を切削する場合には、新たに小型のボール盤を購入しなければならないという問題点があった。
【特許文献１】特開２００７−１９６３６２号公報
【考案の開示】
【考案が解決しようとする課題】
【０００６】
本考案は上記のような問題点に鑑みてなされたものであり、切削対象物に固定可能なボール盤を提供することを目的とする。
【課題を解決するための手段】
【０００７】
この目的を達成するために、本考案はドリルを回転させるモータと、モータを昇降させるモータ昇降部と、厚さ調節板を把持面に備え、把持面を対向させ、互いの間隔を変化させることができるように、モータ昇降部を固定するベース部に取り付けられた、一対の可動把持部と、を備えることを特徴とするボール盤を提供する。
【０００８】
厚さ調節板は、着脱可能に可動把持部に取り付けることも可能である。
【考案の効果】
【０００９】
本考案のボール盤は、施工後の切削対象物にボール盤１０を固定することが可能となり、正確に切削対象物を切削することができるという効果がある。また、切削対象物の厚みに応じた厚さ調節板１７を使用することが可能となり、切削可能な切削対象物の範囲が広がるという効果がある。
【考案を実施するための最良の形態】
【００１０】
本発明のボール盤の一実施形態を、図面を用いて説明する。図１は本実施形態のボール盤の斜視図である。また、図２は本実施形態のボール盤の正面図である。図３は本実施形態のボール盤の右側面図である。
【００１１】
図１乃至図３に示すように、本実施形態のボール盤１０は、ドリル１８を回転させるモータ１１と、このモータを昇降させるモータ昇降部１２と、厚さ調節板１７を把持面に備え、把持面を対向させ、互いの間隔を変化させることができるように、モータ昇降部１２、又はモータ昇降部１２を固定するベース部１３に取り付けられた、一対の可動把持部１５と、を備える。
【００１２】
ここで、把持面は、一対の可動把持部１５の切削対象物を挟む面であり、切削対象物に対向する面である。
【００１３】
一対の可動把持部１５は、対向する面に厚さ調節板１７をそれぞれ有する。厚さ調節板１７は弾性体を含むものを用いることができる。弾性体は、例えばゴムを用いることができる。この場合、厚さ調節板１７は例えば厚さ７ｍｍの鉄板に接着剤を用いて厚さ２ｍｍのゴムを接着したものを用いることができる。
【００１４】
ドリル１８は、着脱可能にモータ１１の回転軸に取り付けられている。モータ昇降部１２は、ハンドルを回転させるとモータ１１が昇降するように歯車などを組み合わせて構成されている。
【００１５】
このモータ昇降部１２又はモータ昇降部１２を固定するベース部１３には、一対の可動把持部１５の互いの間隔を変化させる締め付け機構１４が取り付けられる。この締め付け機構１４は、ハンドル１８を回転させると、一対の把持部１５の間隔を矢印Ｘの方向に広げたり狭めたりする。
【００１６】
切削するときは、切削対象物を一対の可動把持部１５のパキング１７の間に挟み、締め付け機構１４により一対の可動把持部１５の間隔を狭めて締め付けることにより、ボール盤１０を切削対象物に固定する。
【００１７】
図４は可動把持部１５の分解斜視図である。図４に示すように、厚さ調節板１７はネジ１６などにより、可動把持部１５の把持面１９に着脱可能に取り付けられる。
【００１８】
切削対象物の幅が小さい場合、厚さ調節板１７をより厚みのあるものに交換し、切削対象物を締め付け、切削対象物にボール盤１０を固定する。逆に、切削対象物の幅が大きい場合、厚さ調節板１７をより薄いものに交換し、切削対象物を締め付け、切削対象物にボール盤１０を固定する。
【００１９】
例えば、一般的に用いられるボール盤は５０ｍｍまでしか把持できない。よって３２ｍｍのパイプを把持するためには一対の厚さ調節板１７はそれぞれ９ｍｍ以上の厚さを有することが望ましい。また、厚さ調節板１７の厚さは１００ｍｍ以下であることが望ましい。なお、厚さ調節板１７の厚さはこの範囲に限られるものではない。
【００２０】
図５は可動把持部１５が切削対象物２０を把持した状態を示した図である。図５に示すように、厚さ調節板１７の厚さは一対の可動把持部１５の間隔を狭めた時に切削対象物２０を上部から押しつけるだけの幅を残すように定めることが望ましい。
【００２１】
例えば、厚さ調節板１７を装着せずに可動把持部１５を最も狭めた時の一対の可動把持部１５の把持面１９の間隔が５０ｍｍであり、切削対象物２０であるパイプの直径が３２ｍｍである時、厚さ調節板１７の厚さはそれぞれ９ｍｍであることが望ましい。
【００２２】
すなわち、厚さ調節板１７を装着せずに可動把持部１５を最も狭めた時の一対の可動把持部１５の把持面１９の間隔がＷであり、切削対象物２０であるパイプの直径乃至幅がＺである時、厚さ調節板１７の厚さはそれぞれ（Ｗ−Ｚ）／２であることが望ましい。
【００２３】
以上述べたように、本実施形態のボール盤１０おいては厚さ調節板１７を把持面に備え、把持面を対向させ、互いの間隔を変化させることができるように、モータ昇降部１２、又はモータ昇降部１２を固定するベース部１３に取り付けられた、一対の可動把持部１５と、を備える。このため、施工後の切削対象物にボール盤１０を固定することが可能となり、正確に切削対象物を切削することができるという効果がある。
【００２４】
また、厚さ調節板１７が着脱可能なため、切削対象物の厚みに応じた厚さ調節板１７を使用することが可能となり、切削可能な切削対象物の範囲が広がるという効果がある。
【産業上の利用可能性】
【００２５】
本考案は、施工後の切削対象物のみならず、一般的な可搬ボール盤として利用できる。
【図面の簡単な説明】
【００２６】
【図１】本実施形態のボール盤の斜視図である。
【図２】本実施形態のボール盤の正面図である。
【図３】本実施形態のボール盤の右側面図である。
【図４】可動把持部の分解斜視図である。
【図５】可動把持部が切削対象物を把持した状態を示した図である。
【符号の説明】
【００２７】
１０：ボール盤、
１１：モータ、
１２：モータ昇降部、
１３：ベース部、
１４：締め付け機構
１５：可動把持部、
１７：厚さ調節板
【図１】
0003140247.tif 000003
【図２】
0003140247.tif 000004
【図３】
0003140247.tif 000005
【図４】
0003140247.tif 000006
【図５】
0003140247.tif 000007
【手続補正書】
【提出日】平成19年11月25日(2007.11.25)
【手続補正１】
【補正対象書類名】実用新案登録請求の範囲
【補正対象項目名】請求項３
【補正方法】変更
【補正の内容】
【請求項３】
前記厚さ調節板が、着脱可能に可動把持部に取り付けられていることを特徴とする請求項１または請求項２に記載のボール盤。